(57)【要約】【課題】トランペットやトロンボーン等の金管楽器の演奏に用いるミュートの置き場所を譜面スタンド等の被取付物に確保することができると共に、ミュートの出し入れがし易く、また手元近くに置けるよう着脱自在並びに回動自在としたミュートホルダーの提供を課題とする。【解決手段】金管楽器の演奏用の弱音器であるミュートＭを使用待機中に保持するミュートホルダー１であって、ミュートＭを受け入れて保持するホルダー体１００と、該ホルダー体１００を支持すると共に譜面スタンド１０等の被取付物に対して着脱自在に挟持するクリップ体２００とで構成した。ホルダー体１００は、その一部に継手受部１２０を形成し、クリップ体２００に設けた継手部２５０を受け入れて回動自在に連結されている。【選択図】      図１
0003143504.tif 000002
【実用新案登録請求の範囲】
【請求項１】
金管楽器の演奏用の弱音器であるミュートを使用待機中に保持するミュートホルダーであって、ミュートを受け入れて保持するホルダー体と、該ホルダー体を支持すると共に譜面スタンド等の被取付物に対して着脱自在に挟持するクリップ体とで構成したことを特徴とするミュートホルダー。
【請求項２】
ホルダー体は、その一部に継手受部を形成し、クリップ体に設けた継手部を受け入れて回動自在に連結されていることを特徴とする請求項１に記載のミュートホルダー。
【請求項３】
ホルダー体は、その一部に継手受部を形成し、クリップ体に設けた継手部を受け入れて直角に折り曲げ自在に連結されていることを特徴とする請求項１又は２に記載のミュートホルダー。
【請求項４】
ホルダー体は、クリップ体の継手部を継手受部で受け入れ、自由な位置で止められることを特徴とする請求項１〜３の何れかに記載のミュートホルダー。
【請求項５】
継手受部は、ホルダー体に設けられた連結片と、該連結片に相対して設けられる連結板と、前記連結片と連結板とに螺合してそれらの間隙を調節自在とする締付けツマミとで形成すると共に、前記連結片と前記連結板との対向する内壁中央に継手部を受け入れて保持する継手窪みを形成し、継手部は、クリップ体の下部後端から突出形成された連結ピンを備え、該連結ピンの先端にはボールを形成し、該ボールを前記継手窪みに嵌入する構成としたことを特徴とする請求項２〜４の何れかに記載のミュートホルダー。
【請求項６】
継手受部の連結片と連結板とにそれぞれ斜めに折り曲げ用溝を形成し、継手部を折り曲げ自在としたことを特徴とする請求項５に記載のミュートホルダー。
【請求項７】
ホルダー体は、一部が開放された円環状で弾性部材である保持枠と、該保持枠の一方の開放端部から突出する連結片を設けていることを特徴とする請求項５又は６に記載のミュートホルダー。
【請求項８】
クリップ体は、譜面スタンド等の被取付物に対して着脱自在に挟持する掴み部と、該掴み部を開閉させる操作部と、該操作部による操作に対して前記掴み部を閉止する方向に付勢する付勢バネを備えていることを特徴とする請求項１〜７の何れかに記載のミュートホルダー。
【考案の詳細な説明】
【技術分野】
【０００１】
本考案はミュートホルダーに関する。
【背景技術】
【０００２】
従来、トランペットやトロンボーン等の金管楽器の弱音奏法に用いるミュートを、使用待機中に置いておく為のミュートホルダーとして、金属製で譜面スタンドの支柱に取り付けるものや、針金を形成して譜面スタンドの譜面立ての平板部に挿着させるものがある。
一方、特開２０００−４１８２０号公報には、椅子の肘掛け本体（２）と肘当て部（３）との間に円環状のカップホルダー（４）を出入可能に装着した椅子におけるカップホルダー装置、及びこの装置を備える椅子が提供されている（特許文献１）。
【特許文献１】特開２０００−４１８２０号公報
【考案の開示】
【考案が解決しようとする課題】
【０００３】
上記従来のミュートホルダーは、一般に譜面スタンドの支柱に取り付けられるので、少し離れた場所となり、演奏中にミュートを使用する際に手元近くにない不便さがある。また主要部分が金属製のミュートホルダーの場合は、重くなって持ち運びするのに問題があった。針金で形成したミュートホルダーの場合は、譜面スタンドの譜面を立てる平板部に針金を折り曲げて挿着することができるので、ミュートを手元近くに置けて便利であり、且つ軽量にできるが、針金作りの為に高級感に欠ける。また従来のミュートホルダーは固定されるので、取り付けが一定方向で限られる等の問題があった。
また特許文献１に示す椅子におけるカップホルダー装置、及びこの装置を備える椅子の場合、手元近くに置けるホルダーとしては同じ目的ではあるが、カップのホルダーであるのでミュートホルダーとは異なるものである。
【０００４】
そこで本考案は上記従来技術の問題を解消し、トランペットやトロンボーン等の金管楽器の演奏に用いるミュートの置き場所を譜面スタンド等の被取付物に確保することができると共に、ミュートの出し入れがし易く、また手元近くに置けるよう着脱自在並びに回動自在としたミュートホルダーの提供を課題とする。
【課題を解決するための手段】
【０００５】
上記課題を達成するため本考案のミュートホルダーは、金管楽器の演奏用の弱音器であるミュートを使用待機中に保持するミュートホルダーであって、ミュートを受け入れて保持するホルダー体と、該ホルダー体を支持すると共に譜面スタンド等の被取付物に対して着脱自在に挟持するクリップ体とで構成したことを第１の特徴としている。
また本考案のミュートホルダーは、上記第１の特徴に加えて、ホルダー体は、その一部に継手受部を形成し、クリップ体に設けた継手部を受け入れて回動自在に連結されていることを第２の特徴としている。
また本考案のミュートホルダーは、上記第１又は第２の特徴に加えて、ホルダー体は、その一部に継手受部を形成し、クリップ体に設けた継手部を受け入れて直角に折り曲げ自在に連結されていることを第３の特徴としている。
また本考案のミュートホルダーは、上記第１〜第３の何れかの特徴に加えて、ホルダー体は、クリップ体の継手部を継手受部で受け入れ、自由な位置で止められることを第４の特徴としている。
また本考案のミュートホルダーは、上記第２〜第４の何れかの特徴に加えて、継手受部は、ホルダー体に設けられた連結片と、該連結片に相対して設けられる連結板と、前記連結片と連結板とに螺合してそれらの間隙を調節自在とする締付けツマミとで形成すると共に、前記連結片と前記連結板との対向する内壁中央に継手部を受け入れて保持する継手窪みを形成し、継手部は、クリップ体の下部後端から突出形成された連結ピンを備え、該連結ピンの先端にはボールを形成し、該ボールを前記継手窪みに嵌入する構成としたことを第５の特徴としている。
また本考案のミュートホルダーは、上記第５の特徴に加えて、継手受部の連結片と連結板とにそれぞれ斜めに折り曲げ用溝を形成し、継手部を折り曲げ自在としたことを第６の特徴としている。
また本考案のミュートホルダーは、上記第５又は第６の特徴に加えて、ホルダー体は、一部が開放された円環状で弾性部材である保持枠と、該保持枠の一方の開放端部から突出する連結片を設けていることを第７の特徴としている。
また本考案のミュートホルダーは、上記第１〜第７の何れかの特徴に加えて、クリップ体は、譜面スタンド等の被取付物に対して着脱自在に挟持する掴み部と、該掴み部を開閉させる操作部と、該操作部による操作に対して前記掴み部を閉止する方向に付勢する付勢バネを備えていることを第８の特徴としている。
【考案の効果】
【０００６】
請求項１に記載のミュートホルダーによれば、金管楽器の演奏用の弱音器であるミュートを使用待機中に保持するミュートホルダーであって、ミュートを受け入れて保持するホルダー体と、該ホルダー体を支持すると共に譜面スタンド等の被取付物に対して着脱自在に挟持するクリップ体とで構成したので、
クリップ体を譜面スタンド等の被取付物の種々の場所に対して、着脱自在に取り付けることができる。よって演奏中にミュートを使用する際に、出し入れがし易い手元近くの場所に置くことができる。またミュートの出し入れが近くでできるので、ミュートの演奏が多い時など動作による疲労が少なくなる。
【０００７】
また請求項２に記載のミュートホルダーによれば、請求項１に記載の構成による作用効果に加えて、ホルダー体は、その一部に継手受部を形成し、クリップ体に設けた継手部を受け入れて回動自在に連結されているので、
ミュートを装着したホルダー体を自由に回動させて、ミュートが出し入れし易い方向に向けて使用することができる。また収納する際には、クリップ体を１８０度回動させてホルダー体と重ね合わせることで、コンパクトにすることができる。
【０００８】
また請求項３に記載のミュートホルダーによれば、請求項１又は２に記載の構成による作用効果に加えて、ホルダー体は、その一部に継手受部を形成し、クリップ体に設けた継手部を受け入れて直角に折り曲げ自在に連結されているので、
ホルダー体を直角に折り曲げることで、クリップ体を譜面スタンドの支柱や、譜面立ての端等に取り付けた際にも、ホルダー体を取り易い位置に向けることができる。また演奏者と譜面スタンド等の間に十分な隙間がない場合でも、嵩を小さくして使用することができる。またホルダー体を曲げることで手元近くに置くことができる。また使用しない時にも折り曲げて、小さく収納することができる。
【０００９】
また請求項４に記載のミュートホルダーによれば、請求項１〜３に記載の構成による作用効果に加えて、ホルダー体は、クリップ体の継手部を継手受部で受け入れ、自由な位置で止められるので、
ミュートを挿入するホルダー体を、ミュートの使用時に出し入れがし易い最適な角度で固定させることができる。
【００１０】
また請求項５に記載のミュートホルダーによれば、請求項２〜４の何れかに記載の構成による作用効果に加えて、継手受部は、ホルダー体に設けられた連結片と、該連結片に相対して設けられる連結板と、前記連結片と連結板とに螺合してそれらの間隙を調節自在とする締付けツマミとで形成すると共に、前記連結片と前記連結板との対向する内壁中央に継手部を受け入れて保持する継手窪みを形成し、継手部は、クリップ体の下部後端から突出形成された連結ピンを備え、該連結ピンの先端にはボールを形成し、該ボールを前記継手窪みに嵌入する構成としたので、
前記連結片と連結板との内壁に設けた継手窪みに、前記継手部を嵌入することで、ホルダー体とクリップ体を確実且つ容易に連結して保持することができる。締付けツマミで螺合した前記連結片と前記連結板とを締め付けることによって、前記継手部を締め付けて固定することができる。また前記連結片と連結板との間隙を利用して、継手受部と継手部とを相対的に回動させることができる。これによりホルダー体とクリップ体とを重ね合わせて嵩を小さくすることができる。
【００１１】
また請求項６に記載のミュートホルダーによれば、請求項５に記載の構成による作用効果に加えて、継手受部の連結片と連結板とにそれぞれ斜めに折り曲げ用溝を形成し、継手部を折り曲げ自在としたので、
折り曲げ用溝に継手部を挿入し、溝に沿って回動させて溝の奥端で止めることで、前記継手部を直角に折り曲げることができる。よってホルダー体とクリップ体とを直角に折り曲げて使用することができる。加えて、折り曲げ用溝を斜めに形成しているので、不容易に回転してしまうことはない。
【００１２】
また請求項７に記載のミュートホルダーによれば、請求項５又は６に記載の構成による作用効果に加えて、ホルダー体は、一部が開放された円環状で弾性部材である保持枠と、該保持枠の一方の開放端部から突出する連結片を設けているので、
ミュートを挿入する保持枠は、一部が開放された円環状の弾性部材で形成されているので、種々の大きさのミュートに使用できる。またミュートの出し入れがし易く、ミュートに傷が付き難い。加えて、連結片を設けているので、簡単に継手受部を構成することが可能になる。
【００１３】
また請求項８に記載のミュートホルダーによれば、請求項１〜７の何れかに記載の構成による作用効果に加えて、クリップ体は、譜面スタンド等の被取付物に対して着脱自在に挟持する掴み部と、該掴み部を開閉させる操作部と、該操作部による操作に対して前記掴み部を閉止する方向に付勢する付勢バネを備えているので、
掴み部を開閉させる操作をするだけで、クリップ体を譜面スタンドの色々な場所に着脱自在に取り付けることができる。また付勢バネによって確りと挟持することができる。
【考案を実施するための最良の形態】
【００１４】
以下の図面を参照して、本考案の実施形態に係るミュートホルダーについて説明する。
図１は本考案の実施形態に係るミュートホルダーを譜面スタンドに取り付けた状態を示す斜視図、図２は本考案の実施形態に係るミュートホルダーの平面図、図３は本考案の継手受部と継手部との連結要部を示す平面図、図４は本考案のクリップ体と継手受部との要部を示す側面図、図５は本考案のミュートホルダーのホルダー体を直角に折り曲げた状態を示す平面図、図６はクリップ体を譜面スタンドに取り付ける動作を示す図である。
【００１５】
図１を参照して、本考案のミュートホルダー１は、ミュートＭを受け入れて保持するホルダー体１００と、該ホルダー体１００を支持すると共に譜面スタンド１０等の被取付物に対して着脱自在に挟持するクリップ体２００からなる。
【００１６】
図２を参照して、ホルダー体１００は、円環状の保持枠１１０と、前記クリップ体２００の継手部２５０を受け入れて保持する継手受部１２０と、該継手受部１２０を調節自在に螺合する締付けツマミ１３０とで構成される。
またホルダー体１００は、その一部に継手受部１２０を形成し、前記クリップ体２００に設けた継手部２５０を受け入れて回動自在に連結される。
【００１７】
保持枠１１０は、一部が開放された円環状であって、樹脂製で軽量な弾性部材を用いて形成される。これによりミュートの大きさが異なっても対応することができる。またミュートの出し入れがし易く、ミュートに傷が付き難い。
前記保持枠１１０には、前記継手受部１２０を構成する連結片１２１を形成している。
【００１８】
図３を参照して、継手受部１２０は、保持枠１１０の一部に形成された連結片１２１と、該連結片１２１と対向状態に設けられた連結板１２２と、後述するネジ１３０ａと一体の締付けツマミ１３０とで構成される。
これにより前記連結片１２１と連結板１２２とがネジ１３０ａで取り付けられ、該ネジ１３０ａと一体の締付けツマミ１３０を開締方向の何れにも調整自在とすることができる。
【００１９】
前記連結片１２１は、前記保持枠１１０の一方の開放端部から前記クリップ体２００との連結方向側に突出させて形成した縦長の小さな板片である。
また連結片１２１には、前記連結板１２２と対向する内壁中央に前記継手部２５０を受け入れて保持する為の継手窪み１２３を形成している。
また連結片１２１には、前記連結板１２２と対称に斜め下方に切り欠いた折り曲げ用溝１２４を形成している。
【００２０】
前記連結板１２２には、前記連結片１２１と対向する内壁中央に前記継手部２５０を受け入れて保持する為の継手窪み１２３を形成している。
また連結板１２２には、前記連結片１２１と対称に斜め下方に切り欠いた折り曲げ用溝１２４を形成している。
【００２１】
図３に示す継手窪み１２３は、後述する継手部２５０の連結ピン２５１の末端に形成されたボール２５２を受け入れる半球状の窪みである。前記継手窪み１２３で球体であるボール２５２を受け入れて保持し、継手機構が完成する。これにより前記ホルダー体１００の保持枠１１０をクリップ体２００に対して自由に回動させて、その角度を変えることができる。従ってクリップ体２００をどのような姿勢で被取付物に取り付けても、保持枠１１０のミュート受け口の向きを上向きにして、確実にミュートＭを受け入れることができる。
【００２２】
図４、図５も参照して、折り曲げ用溝１２４は、前記連結片１２１と前記連結板１２２とにおいて、継手窪み１２３の中央付近から前方（継手部２５０の方向）斜め下方に向けて切り欠かれた開放溝である。これにより前記連結片１２１と前記連結板１２２との間に連結ピン２５１のボール２５２を受け入れた状態で、連結ピン２５１を一旦、下方に回動させた後、折り曲げ用溝１２４に嵌め込んで斜め上方に移動させる。これによってホルダー体１００とクリップ体２００とを相互に直角方向に曲げることができる。
クリップ体２００を譜面スタンド１０の譜面立て平板部１２の左右端部等、取り付け位置が悪い場所に取り付けた場合でも、ホルダー体１００を直角方向に曲げることで、ミュートＭを出し入れし易くできる。また演奏者と譜面スタンド１０との間が狭い場所に取り付ける場合でも、直角方向に曲げることで、小スペースで取り付けることができる。
【００２３】
締付けツマミ１３０は、前記連結片１２１と前記連結板１２２とを、ネジ１３０ａとナット１３０ｂで螺合して、連結片１２１と連結板１２２との間隙を自在に調節するものである。ネジ１３０ａは、前記締付けツマミ１３０と一体で形成されている。
締付けツマミ１３０で連結片１２１と連結板１２２との間隙を調節することで、継手受部１２０と継手部２５０とを相対的に回動させることができる。よって保持枠１１０にミュートＭが出し入れし易い位置（角度）にホルダー体１００を固定することができる。
またクリップ体２００を連結片１２１と連結板１２２との間隙に沿って１８０度回転させて保持枠１１０に重ねれば、コンパクトにでき、ミュートホルダー１を収納する際等に便利である。
【００２４】
図６も参照して、クリップ体２００は、譜面スタンド１０等の被取付物に対して着脱自在に挟持する掴み部２１０と、該掴み部２１０を開閉操作する操作部２２０と、前記掴み部２１０を閉止する方向に付勢する付勢バネ２４０とから構成される。また操作部２２０の下部後端から突出させて継手部２５０の一部をなす連結ピン２５１を形成している。
【００２５】
掴み部２１０は、上部掴み板２１１と、下部掴み板２１２とで構成される。
図４に示すように、上部掴み板２１１は、先端を平坦に形成し、その後方を山形突起２１１ａに形成している。また下部掴み板２１２は、先端を平坦に形成し、その後方を下方に突起する台形窪み２１２ａに形成している。このような形状とすることで、円柱や角柱等の被取付物や凹凸のある被取付物に対応させることができる。よって支柱１１や譜面立て平板部１２等、譜面スタンド１０の色々な場所に取り付けることができる。
【００２６】
操作部２２０は、前記上部掴み板２１１に連続して設けられた上部押指板２２１と、慙愧下部掴み板２１２に連続して設けられた下部押指板２２２と、その上下部押指板２２１、２２２に軸受け２２１ａ、２２２ａが形成され、該軸受け２２１ａと２２２ａには支持軸２３０を軸架し、該支持軸２３０に付勢バネ２４０を取り付けて構成している。
【００２７】
上部押指板２２１は、その後部を上方に高く傾斜させた傾斜部２２１ｂを形成している。それにより指で押し易い角度にすることができると共に、前記上部掴み板２１１が連動して、付勢バネ２４０に抗して大きく開くように構成している。
また下部押指板２２２は、平坦な板で形成し、上部からの押圧を受け止め易く形成している。よって安定した押指押圧が可能となる。
前記操作部２２０を開閉操作することにより、クリップ体２００を着脱自在に被取付物に取り付け、取り外しすることができる。
【００２８】
支持軸２３０は、前記操作部２２０に設けられてクリップ体２００を軸支するように形成される。そして前記支持軸２３０には付勢バネ２４０が取り付けられている。
前記付勢バネ２４０は、前記支持軸２３０に巻着し、前記上部押指板２２１と下部押指板２２２との裏面に係止されて、前記掴み部２１０を閉止する方向に付勢する。よって、このバネ付勢力でもって前記掴み部２１０で被取付物を確りと挟持することができる。
【００２９】
継手部２５０は、前記操作部２２０の下部押指板２２２の後端から突出して形成した連結ピン２５１を備え、該連結ピン２５１の先端にはボール２５２を形成している。
継手部２５０を継手受部１２０に嵌入させることで、クリップ体２００とホルダー体１００を回動自在に連結させることができる。
【００３０】
連結ピン２５１は、細い金属製の棒で形成される。よって強度があって保持枠１１０を確りと支持すると共に、細いので前記保持枠１１０を回動させ易い形状となる。
ボール２５２は、小さな金属製で形成されているので強度があり、また前記継手受部１２０の継手窪み１２３と形状が合致して確りと保持されると共に、回動し易い。
【００３１】
本考案の実施形態に係るミュートホルダー１の取り付け及び使用方法について説明する。
図６を参照して、ミュートホルダー１を取り付ける場合は、まず片手で前記クリップ体２００の操作部２２０である前記上部押指板２２１と下部押指板２２２とを、上下から指を当てて押圧操作する。その押圧によって、前記クリップ体２００の掴み部２１０である上部掴み板２１１と下部掴み板２１２とが付勢バネ２４０の付勢力に抗して開く。被取付物の取り付け場所で指を離して押圧を解除すると、付勢バネ２４０の付勢力によって上部掴み板２１１と下部掴み板２１２が閉止され、図１に示すように掴み部２１０で確りと挟持してミュートホルダー１を被取付物に取り付けることができる。被取付物として身近な譜面スタンド１０を利用する場合は、支柱１１や譜面立て平板部１２等、演奏中にミュートＭの出し入れがし易い場所に取り付けることができる。
次に前記ホルダー体１００の継手受部１２０である連結片１２１と連結板１２２との間隙を締付けツマミ１３０で調節し、ホルダー体１００の保持枠１１０にミュートＭを装着した際、ミュートＭが出し入れし易い最適な位置に前記保持枠１１０の受け口の角度を固定する。また折り曲げ用溝１２４を利用してホルダー体１００をクリップ体２００に対して相対的に直角方向に折り曲げて、保持枠１１０を演奏者がミュートＭの出し入れし易い位置に位置づける。
ミュートホルダー１を被取付物から取り外す場合は、前記操作部２２０である上部掴み板２１１と前記下部掴み板２１２とを押圧操作し、付勢バネ２４０の付勢力に抗して掴み部２１０を開いて取り外す。
またミュートホルダー１を収納する場合は、クリップ体２００を連結片１２１と連結板１２２との間隙に沿って１８０度回転させて保持枠１１０に重ね合わせ、コンパクトにして収納する。
【図面の簡単な説明】
【００３２】
【図１】本考案の実施形態に係るミュートホルダーを譜面スタンドに取り付けた状態を示す斜視図である。
【図２】本考案の実施形態に係るミュートホルダーの平面図である。
【図３】本考案の継手受部と継手部との連結要部を示す平面図である。
【図４】本考案のクリップ体と継手受部との要部を示す側面図である。
【図５】本考案のミュートホルダーのホルダー体を直角に折り曲げた状態を示す平面図である。
【図６】本考案のクリップ体を譜面スタンドに取り付ける動作を示す図である。
【符号の説明】
【００３３】
１        ミュートホルダー
Ｍ        ミュート
１０      譜面スタンド
１１      支柱
１２      譜面立て平板
１００    ホルダー体
１１０    保持枠
１２０    継手受部
１２１    連結片
１２２    連結板
１２３    継手窪み
１２４    折り曲げ用溝
１３０    締付けツマミ
１３０ａ  ネジ
１３０ｂ  ナット
２００    クリップ体
２１０    掴み部
２１１    上部掴み板
２１１ａ  山形突起
２１２    下部掴み板
２１２ａ  台形窪み
２２０    操作部
２２１    上部押指板
２２１ａ  軸受け
２２１ｂ  傾斜部
２２２    下部押指板
２２２ａ  軸受け
２３０    支持軸
２４０    付勢バネ
２５０    継手部
２５１    連結ピン
２５２    ボール
【図１】
0003143504.tif 000003
【図２】
0003143504.tif 000004
【図３】
0003143504.tif 000005
【図４】
0003143504.tif 000006
【図５】
0003143504.tif 000007
【図６】
0003143504.tif 000008